(57)【要約】【課題】洗濯乾燥機が既に行った工程と、運転コースにそもそも含まれていない工程とを一見して識別可能にしながら、運転コースに含まれる各工程の進行状況を確認することが可能な電子機器を提供する。【解決手段】実施形態による電子機器は、受信部と、表示制御部とを備える。受信部は、運転コースに従って運転する洗濯乾燥機から、運転コースを示す情報と、洗濯乾燥機が現在行っている工程を示す情報とを受信する。運転コースは、洗い、すすぎ、脱水、および乾燥を含む少なくとも４つの工程のうち１以上の工程を含む。表示制御部は、少なくとも４つの工程にそれぞれ対応する少なくとも４つの表示領域を含む画面を表示部に表示する。画面は、運転コースに含まれる１以上の工程を、洗濯乾燥機が現在行っている工程と、洗濯乾燥機が今後行う予定の工程と、洗濯乾燥機が既に行った工程とを識別可能な態様で表示領域に表示する。【選択図】図４
2015144626.tif 000002
【特許請求の範囲】
【請求項１】
洗い、すすぎ、脱水、および乾燥を含む少なくとも４つの工程のうち１以上の工程を含む運転コースに従って運転する洗濯乾燥機から、前記運転コースを示す情報と、前記洗濯乾燥機が現在行っている工程を示す情報とを受信する受信部と、
前記少なくとも４つの工程にそれぞれ対応する少なくとも４つの表示領域を含む画面であって、前記運転コースに含まれる１以上の工程を、前記洗濯乾燥機が現在行っている工程と、前記洗濯乾燥機が今後行う予定の工程と、前記洗濯乾燥機が既に行った工程とを識別可能な態様で前記表示領域に表示する画面を表示部に表示する表示制御部とを備える、電子機器。
【請求項２】
前記表示制御部は、前記洗濯乾燥機に対する前記運転コースの設定と、前記洗濯乾燥機に対する運転開始指令とが行われた場合に、前記画面を前記表示部に表示するように構成されている、請求項１に記載の電子機器。
【請求項３】
前記表示制御部は、前記運転コースに含まれない工程を、前記表示領域に表示しないか、または、前記運転コースに含まれないことを識別可能な態様で前記表示領域に表示するように構成されている、請求項１または２に記載の電子機器。
【請求項４】
前記表示制御部は、前記少なくとも４つの表示領域を、前記少なくとも４つの工程が行われる順に並べて配置した状態で、前記画面内に固定的に表示するように構成されている、請求項１〜３のいずれか１項に記載の電子機器。
【請求項５】
前記受信部は、前記洗濯乾燥機により消費される消費電力を示す情報を前記洗濯乾燥機から受信することが可能なように構成されており、
前記表示制御部は、現時点における前記消費電力の瞬時値と、前記洗濯乾燥機の運転が開始してから現時点までの前記消費電力の積算値とを前記画面内に表示することが可能なように構成されている、請求項１〜４のいずれか１項に記載の電子機器。
【請求項６】
前記表示制御部は、前記洗濯乾燥機が乾燥を終了した後に乾燥後の洗濯物の柔軟性を維持するための維持運転を行う場合に、前記維持運転が現在行われている旨および終了した旨を前記画面内に表示するように構成されている、請求項１〜５のいずれか１項に記載の電子機器。
【請求項７】
洗い、すすぎ、脱水、および乾燥を含む少なくとも４つの工程のうち１以上の工程を含む運転コースに従って運転する洗濯乾燥機から、前記運転コースを示す情報と、前記洗濯乾燥機が現在行っている工程を示す情報とを受信することと、
前記少なくとも４つの工程にそれぞれ対応する少なくとも４つの表示領域を含む画面であって、前記運転コースに含まれる１以上の工程を、前記洗濯乾燥機が現在行っている工程と、前記洗濯乾燥機が今後行う予定の工程と、前記洗濯乾燥機が既に行った工程とを識別可能な態様で前記表示領域に表示することとをコンピュータに実行させるための、プログラム。
【請求項８】
洗い、すすぎ、脱水、および乾燥を含む少なくとも４つの工程のうち１以上の工程を含む運転コースに従って運転する洗濯乾燥機から、前記運転コースを示す情報と、前記洗濯乾燥機が現在行っている工程を示す情報とを受信することと、
前記少なくとも４つの工程にそれぞれ対応する少なくとも４つの表示領域を含む画面であって、前記運転コースに含まれる１以上の工程を、前記洗濯乾燥機が現在行っている工程と、前記洗濯乾燥機が今後行う予定の工程と、前記洗濯乾燥機が既に行った工程とを識別可能な態様で前記表示領域に表示する画面を表示部に表示することとを備える、表示制御方法。
【発明の詳細な説明】
【技術分野】
【０００１】
本発明の実施形態は、電子機器、プログラムおよび表示制御方法に関する。
【背景技術】
【０００２】
従来、洗濯乾燥機に設定された運転コースに含まれる各工程の進行状況を、表示端末を用いて遠隔で確認する技術が知られている。このような技術では、表示端末は、洗濯乾燥機が現在行っている工程と、洗濯乾燥機が今後行う予定の工程とを表示画面に表示する一方、洗濯乾燥機が既に行った工程を表示画面から消していた。
【先行技術文献】
【特許文献】
【０００３】
【特許文献１】特開２００５−２０５０６１号公報
【発明の概要】
【発明が解決しようとする課題】
【０００４】
上記のような技術では、表示端末に表示されていない工程が、洗濯乾燥機が既に行った工程であるか、洗濯乾燥機に設定された運転コースにそもそも含まれていない工程であるかを一見して識別することができなかった。このため、洗濯乾燥機が既に行った工程と、運転コースにそもそも含まれていない工程とを一見して識別可能にしながら、運転コースに含まれる各工程の進行状況を確認することができれば望ましい。
【課題を解決するための手段】
【０００５】
実施形態による電子機器は、受信部と、表示制御部とを備える。受信部は、運転コースに従って運転する洗濯乾燥機から、運転コースを示す情報と、洗濯乾燥機が現在行っている工程を示す情報とを受信する。運転コースは、洗い、すすぎ、脱水、および乾燥を含む少なくとも４つの工程のうち１以上の工程を含む。表示制御部は、少なくとも４つの工程にそれぞれ対応する少なくとも４つの表示領域を含む画面を表示部に表示する。画面は、運転コースに含まれる１以上の工程を、洗濯乾燥機が現在行っている工程と、洗濯乾燥機が今後行う予定の工程と、洗濯乾燥機が既に行った工程とを識別可能な態様で表示領域に表示する。
【図面の簡単な説明】
【０００６】
【図１】図１は、実施形態による表示端末および選択乾燥機の外観の一例を示した図である。
【図２】図２は、実施形態による表示端末の内部構成の一例を示したブロック図である。
【図３】図３は、実施形態による表示端末の制御部により実行される情報表示プログラムの機能的構成の一例を示したブロック図である。
【図４】図４は、実施形態による運転状態表示画面の一例を示した図である。
【図５】図５は、実施形態による運転状態表示画面の図４とは異なる一例を示した例示図である。
【図６】図６は、図５に示した運転状態表示画面の遷移の一例を説明するための例示図である。
【図７】図７は、図６に示した運転状態表示画面の遷移の一例を説明するための例示図である。
【図８】図８は、図７に示した運転状態表示画面の遷移の一例を説明するための例示図である。
【図９】図９は、実施形態による運転状態表示画面に洗濯乾燥機の消費電力の瞬時値および積算値が表示された状態を示した図である。
【図１０】図１０は、実施形態による表示端末の制御部により実行される処理の流れを示した例示フローチャートである。
【発明を実施するための形態】
【０００７】
以下、実施形態を図面に基づいて説明する。
【０００８】
まず、図１〜図３を参照して、本実施形態による表示端末１０の構成の一例について説明する。なお、表示端末１０は、「電子機器」の一例である。本実施形態では、一例として、表示部を備えた携帯型の情報処理装置（たとえばスマートフォンやタブレットなど）として実現された表示端末１０について説明する。
【０００９】
図１に示すように、表示端末１０と洗濯乾燥機２０とは、互いに無線通信を行うことが可能なように構成されている。なお、洗濯乾燥機２０は、家庭内に設置されており、ユーザにより設定された運転コースに従って運転するように構成されている。運転コースは、洗い、すすぎ、脱水および乾燥を含む少なくとも４つの工程のうち１以上の工程を含む。このような家庭内で用いられる機器間の通信方式としては、たとえばＥＣＨＯＮＥＴ  Ｌｉｔｅ（ＥＣＨＯＮＥＴは登録商標）が挙げられる。
【００１０】
なお、図１は、表示端末１０と洗濯乾燥機２０とが互いに無線通信を行う例を示しているが、本実施形態はこれに限らない。本実施形態では、表示端末１０と洗濯乾燥機２０とは、互いに有線通信を行うように構成されていてもよい。また、本実施形態では、表示端末１０と洗濯乾燥機２０との間の通信方式として、ＥＣＨＯＮＥＴ  Ｌｉｔｅ（ＥＣＨＯＮＥＴは登録商標）以外の通信方式が用いられてもよい。また、本実施形態では、運転コースは、上記の４つの工程以外の工程を含んでいてもよい。
【００１１】
次に、図２を参照して、表示端末１０の内部構成について具体的に説明する。図２に示すように、表示端末１０は、通信部１１と、表示部１２と、操作部１３と、制御部１４と、記憶部１５とを備える。
【００１２】
通信部１１は、洗濯乾燥機２０との間の通信に用いられるインターフェースである。表示部１２は、静止画や動画などを表示可能に構成されている。操作部１３は、表示端末１０を操作するためのモジュールであり、たとえば表示部１２を用いたタッチパネルにより構成されている。
【００１３】
制御部１４は、ＣＰＵ（Ｃｅｎｔｒａｌ  Ｐｒｏｃｅｓｓｉｎｇ  Ｕｎｉｔ）などを含み、表示端末１０にインストールされた各種プログラムに基づいて、表示端末１０の各部を制御するための各種演算処理を行うように構成されている。記憶部１５は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などを含み、制御部１４により実行される各種プログラムや、それら各種プログラムの実行に用いられる各種データなどを記憶するように構成されている。
【００１４】
たとえば、本実施形態による制御部１４は、図３に示すような情報表示プログラム３０を実行するように構成されている。この情報表示プログラム３０は、機能的構成として、入力制御部３１と、通信制御部３２と、表示制御部３３とを備える。なお、通信制御部３２は、「受信部」の一例である。
【００１５】
入力制御部３１は、操作部１３からのユーザの操作入力を受け付ける機能を有する。通信制御部３２は、通信部１１を介した各種データの通信を制御する機能を有する。表示制御部３３は、表示部１２への各種情報の表示を制御する機能を有する。
【００１６】
通信制御部３２は、洗濯乾燥機２０から、洗濯乾燥機２０に現在設定されている運転コースを示す情報と、洗濯乾燥機２０が現在行っている工程を示す情報とを受信（取得）するように構成されている。また、通信制御部３２は、運転コースおよび工程を示す情報の他に、洗濯乾燥機２０の消費電力を示す情報（詳細は、後述する）や、運転コースが終了するまでの残り時間を示す情報や、洗濯乾燥機２０が運転中であるか停止中であるかを示す情報なども洗濯乾燥機２０から取得するように構成されている。
【００１７】
表示制御部３３は、通信制御部３２が上記の各種情報を取得した場合に、それら各種情報に基づいて、図４〜図９に示すような運転状態表示画面ＩＭ１〜ＩＭ６を表示部１２に表示するように構成されている。以下では、簡単化のため、運転状態表示画面ＩＭ１〜ＩＭ６を単に画面ＩＭ１〜ＩＭ６として記載する。表示制御部３３は、これらの画面ＩＭ１〜ＩＭ６を、洗濯乾燥機２０に対する運転コースの設定と、洗濯乾燥機２０に対する運転開始指令とが行われた場合に表示部１２に表示するように構成されている。
【００１８】
図４〜図９に示すように、画面ＩＭ１〜ＩＭ６は、洗濯乾燥機２０が行う洗い、すすぎ、脱水および乾燥の４つの工程にそれぞれ対応する４つの表示領域Ａ１〜Ａ４を含む。これら４つの表示領域Ａ１〜Ａ４は、それぞれ、対応する４つの工程の名前を示す文字列を表示可能に構成されている。また、画面ＩＭ１〜ＩＭ６は、洗濯乾燥機２０の消費電力を表示するための吹き出しＢや、運転コースに従った運転が終了するまでの残り時間なども表示可能に構成されている。
【００１９】
ここで、画面ＩＭ１〜ＩＭ６は、通信制御部３２が受信した運転コースに含まれる１以上の工程の各々を、洗濯乾燥機２０が現在行っている工程と、洗濯乾燥機２０が今後行う予定の工程と、洗濯乾燥機２０が既に行った工程とを識別可能な態様で、４つの表示領域Ａ１〜Ａ４のうちの対応する領域に表示するように構成されている。
【００２０】
より具体的には、表示制御部３３は、洗濯乾燥機２０が現在行っている工程を他の工程と区別可能にユーザに通知するために、画面ＩＭ１〜ＩＭ６内の４つの表示領域Ａ１〜Ａ４のうち、洗濯乾燥機２０が現在行っている工程に対応する領域を画面ＩＭ１〜ＩＭ６上の他の領域よりも相対的に明るく表示するように構成されている。また、表示制御部３３は、洗濯乾燥機２０が既に行った工程を他の工程と区別可能にユーザに通知するために、洗濯乾燥機２０が既に行った工程の名前を示す文字列を、他の工程の名前を示す文字列に比べて相対的に暗く表示（グレーアウト）した状態で表示領域Ａ１〜Ａ４内に表示するように構成されている。
【００２１】
たとえば、図４に示す画面ＩＭ１は、洗い、すすぎ、脱水、乾燥の４つの工程の全てを含む運転コース（標準コース）が洗濯乾燥機２０に設定されている場合において、洗いおよびすすぎが既に完了し、現在脱水が行われており、今後乾燥が行われる予定であることを示している。
【００２２】
また、図５に示す画面ＩＭ２は、標準コースのうちの脱水および乾燥のみを実行する運転コースが洗濯乾燥機２０に設定されている場合において、現在脱水が行われており、今後乾燥が行われる予定であることを示している。
【００２３】
ここで、図５に示すように、表示制御部３３は、運転コースに含まれない工程（洗いおよびすすぎ）を、運転コースに含まれないことを識別可能な態様で表示領域Ａ１〜Ａ４に表示するように構成されている。より具体的には、表示制御部３３は、４つの表示領域Ａ１〜Ａ４のうち、運転コースに含まれない工程に対応する領域（図５では、表示領域Ａ１およびＡ２）にグレーアウトされたハイフン「−−」を表示することにより、運転コースに含まれない工程の名前を表示しないように構成されている。なお、本実施形態では、運転コースに含まれない工程であることを識別可能であれば、運転コースに含まれない工程の名前が表示されていてもよい。また、本実施形態では、表示制御部３３は、グレーアウトされたハイフンすら表示せずに、運転コースに含まれない工程を完全に非表示にするように構成されていてもよい。
【００２４】
また、表示制御部３３は、４つの表示領域Ａ１〜Ａ４を、４つの工程が行われる順に並べて配置した状態で画面ＩＭ１〜ＩＭ６内に固定的に表示するように構成されている。すなわち、画面ＩＭ１〜ＩＭ６内には、４つの表示領域Ａ１〜Ａ４が、洗濯に対応する表示領域Ａ１、すすぎに対応する表示領域Ａ２、脱水に対応する表示領域Ａ３、および乾燥に対応する表示領域Ａ４の順に並んで表示されている。
【００２５】
また、通信制御部３２は、運転コースおよび現在の工程を示す情報を含む上記の各種情報を、所定の時間間隔（たとえば３０秒間隔）で定期的に受信（取得）するように構成されている。そして、表示制御部３３は、通信制御部３２により取得された情報に更新があった場合に、その更新内容に応じて画面ＩＭ１〜ＩＭ６の表示を切り替えるように構成されている。
【００２６】
たとえば、上記図５に示した画面ＩＭ２が表示されている場合において、脱水が終了したことが通信制御部３２により取得された情報に基づいて判明した場合には、表示制御部３３は、画面ＩＭ２を、図６に示す画面ＩＭ３に切り替えるように構成されている。この図６に示す画面ＩＭ３は、上記図５と同様の運転コースが洗濯乾燥機２０に設定されている場合において、既に脱水が終了し、現在乾燥が行われていることを示している。
【００２７】
なお、本実施形態では、現在の工程が次の工程に進んだ場合に次の工程を示す情報を表示端末１０に自動的に送信するように構成された洗濯乾燥機２０を用いてもよい。この場合、表示制御部３３は、洗濯乾燥機２０から自動的に送信される情報を受信した場合に、その情報に基づいて画面ＩＭ１〜ＩＭ６を切り替えるように構成されている。
【００２８】
ここで、本実施形態では、洗濯乾燥機２０は、乾燥を終了した後に、乾燥後の洗濯物の柔軟性を維持するための維持運転（いわゆるソフトキープ運転）を行うように構成されている。そして、表示制御部３３は、図７および図８に示すように、洗濯乾燥機２０がソフトキープ運転を行う場合に、そのソフトキープ運転が現在行われている旨および終了した旨を画面ＩＭ４およびＩＭ５内に表示するように構成されている。
【００２９】
たとえば、図７に示す画面ＩＭ４では、残り時間の表示が「終了しました」という表示になっており、かつ、表示領域Ａ１〜Ａ４内の文字が全てグレーアウトされている一方で、吹き出しＢ内の表示が「運転中」という表示になっている。このため、図７に示す画面ＩＭ４は、運転コースに含まれる全工程は終了したものの、洗濯乾燥機２０自体の運転は停止していないことを示している。すなわち、図７に示す画面ＩＭ４は、ソフトキープ運転が現在行われている旨を示している。
【００３０】
また、図８に示す画面ＩＭ５では、上記図７と同様に、残り時間の表示が「終了しました」という表示になっており、かつ、表示領域Ａ１〜Ａ４内の文字が全てグレーアウトされている。しかしながら、図８に示す画面ＩＭ５では、上記図７とは異なり、吹き出しＢ内の表示が「停止中」という表示になっている。このため、図８に示す画面ＩＭ５は、運転コースに含まれる全工程が終了した上で、洗濯乾燥機２０自体の運転が停止していることを示している。すなわち、図８に示す画面ＩＭ５は、ソフトキープ運転が終了した旨を示している。
【００３１】
なお、本実施形態では、通信制御部３２は、洗濯乾燥機２０の消費電力を示す情報として、現時点における消費電力の瞬時値と、洗濯乾燥機の運転が開始してから現時点までの消費電力の積算値とを取得するように構成されている。そして、表示制御部３３は、図９に示すように、現時点における消費電力の瞬時値と、洗濯乾燥機の運転が開始してから現時点までの消費電力の積算値とを同時に画面ＩＭ６（吹き出しＢ）内に表示することが可能なように構成されている。
【００３２】
なお、図９は、消費電力の瞬時値と積算値とが同時に吹き出しＢ内に表示されている例を示したが、本実施形態はこれに限らない。本実施形態では、消費電力の積算値のみが吹き出しＢに表示されてもよい。すなわち、本実施形態では、上記図４〜図８に示した画面ＩＭ１〜ＩＭ５の吹き出しＢ内に、消費電力の瞬時値ではなく積算値が表示されていてもよい。また、本実施形態では、吹き出しＢ内における消費電力の瞬時値と積算値との表示の切り替えが、ユーザによる操作部１３の操作に基づいて行われてもよい。
【００３３】
また、本実施形態では、洗濯乾燥機２０から受信される各種情報に、排水口のつまりなどの障害（異常）が発生したことを示す障害情報が含まれていてもよい。この場合、表示制御部３３は、通信制御部３２が受信した障害情報に基づいて、障害が発生したことを画面ＩＭ１〜ＩＭ６上に表示してもよい。
【００３４】
次に、図１０を参照して、実施形態による制御部１４により情報表示プログラム３０が実行された際における処理フローの一例について説明する。
【００３５】
この処理フローでは、図１０に示すように、まず、ステップＳ１において、通信制御部３２は、洗濯乾燥機２０から各種情報を受信する。ここで受信される各種情報は、洗濯乾燥機２０に設定された運転コースを示す情報や、洗濯乾燥機２０が現在行っている工程を示す情報や、洗濯乾燥機２０の消費電力の瞬時値および積算値に関する情報や、運転コースが終了するまでの残り時間を示す情報や、洗濯乾燥機２０が運転中であるか停止中であるかを示す情報などである。そして、通信制御部３２が洗濯乾燥機２０から各種情報を受信すると、ステップＳ２に処理が進む。
【００３６】
次に、ステップＳ２において、表示制御部３３は、ステップＳ１において受信された各種情報を画面ＩＭ１〜ＩＭ６上に表示する。そして、処理が戻る。すなわち、通信制御部３２は、上記の各種情報を所定の時間間隔で定期的に受信し、表示制御部３３は、通信制御部３２により取得された情報に更新があった場合に、その更新内容に応じて画面ＩＭ１〜ＩＭ６の表示を切り替える。
【００３７】
以上説明したように、本実施形態では、通信制御部３２は、洗濯乾燥機２０に設定された運転コースを示す情報と、洗濯乾燥機２０が現在行っている工程を示す情報とを洗濯乾燥機２０から受信するように構成されている。そして、表示制御部３３は、洗濯乾燥機２０が行う４つの工程（洗い、すすぎ、脱水、および乾燥）にそれぞれ対応する４つの表示領域Ａ１〜Ａ４を含む画面ＩＭ１〜ＩＭ６（図４〜図９参照）を表示部１２に表示するように構成されている。画面ＩＭ１〜ＩＭ６は、運転コースに含まれる１以上の工程の各々を、洗濯乾燥機２０が現在行っている工程と、洗濯乾燥機２０が今後行う予定の工程と、洗濯乾燥機２０が既に行った工程とを識別可能な態様で、４つの表示領域Ａ１〜Ａ４のうちの対応する領域に表示するように構成されている。これにより、洗濯乾燥機２０が既に行った工程と、運転コースにそもそも含まれていない工程とを一見して識別可能にしながら、運転コースに含まれる各工程の進行状況を確認することができる。
【００３８】
また、本実施形態では、上記のように、表示制御部３３は、洗濯乾燥機２０に対する運転コースの設定と、洗濯乾燥機２０に対する運転開始指令とが行われた場合に、画面ＩＭ１〜ＩＭ６（図４〜図９参照）を表示部１２に表示するように構成されている。これにより、運転コースの設定も運転開始指令も行われていない状態で画面ＩＭ１〜ＩＭ６が表示されるのを回避することができる。なお、本実施形態では、運転コースの設定および運転開始指令を行うユーザと、表示端末１０のユーザとが異なる場合がある。この場合において、本実施形態では、上記のように、表示端末１０のユーザは、洗濯乾燥機２０が既に行った工程と、運転コースにそもそも含まれていない工程とを一見して識別することができるので、たとえば洗濯乾燥機２０の運転が洗いもすすぎも行わずにいきなり脱水を開始したように見えた場合でも、運転コースに洗いおよびすすぎがそもそも含まれていないことを一見して識別することができる。すなわち、表示端末１０のユーザは、洗いもすすぎも行わずにいきなり脱水を開始するという状況が、洗濯乾燥機２０の異常に起因するものではなく、運転コースの設定を行った他のユーザの意図に沿ったものであることを容易に識別することができる。
【００３９】
また、本実施形態では、上記のように、表示制御部３３は、運転コースに含まれない工程を、運転コースに含まれないことを識別可能な態様で表示領域Ａ１〜Ａ４に表示するように構成されている。これにより、運転コースに含まれない工程を容易に一見して識別することができる。
【００４０】
また、本実施形態では、上記のように、表示制御部３３は、４つの表示領域Ａ１〜Ａ４を、４つの工程が行われる順に並べて配置した状態で、画面ＩＭ１〜ＩＭ６（図４〜図９参照）内に固定的に表示するように構成されている。これにより、運転コースに含まれる各工程を直感的に分かりやすい順番で確認することができる。
【００４１】
また、本実施形態では、上記のように、通信制御部３２は、洗濯乾燥機２０により消費される消費電力を示す情報を洗濯乾燥機２０から受信することが可能なように構成されている。そして、表示制御部３３は、現時点における消費電力の瞬時値と、洗濯乾燥機２０の運転が開始してから現時点までの消費電力の積算値とを画面ＩＭ６（図９参照）内に表示することが可能なように構成されている。これにより、運転コースに含まれる各工程の進行状況を確認しながら、洗濯乾燥機２０の消費電力を確認することができる。
【００４２】
また、本実施形態では、上記のように、表示制御部３３は、洗濯乾燥機２０がソフトキープ運転を行う場合に、ソフトキープ運転が現在行われている旨および終了した旨を画面ＩＭ４およびＩＭ５（図７および図８参照）内に表示するように構成されている。これにより、ソフトキープ運転が現在行われている旨および終了した旨を容易に確認することができる。
【００４３】
上記のように、本実施形態による情報表示プログラム３０は、記憶部１５のＲＯＭなどに格納されている。この情報表示プログラム３０は、インストール可能な形式または実行可能な形式で提供される。すなわち、情報表示プログラム３０は、ＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、コンピュータで読み取り可能な記録媒体を有するコンピュータプログラムプロダクトに含まれた状態で提供される。
【００４４】
なお、情報表示プログラム３０は、インターネットなどのネットワークに接続されたコンピュータ上に格納された状態で、ネットワーク経由で提供または配布されてもよい。また、情報表示プログラム３０は、ＲＯＭなどに予め組み込まれた状態で提供されてもよい。
【００４５】
また、情報表示プログラム３０は、上記の各部（入力制御部３１、通信制御部３２、および表示制御部３３）を含むモジュール構成となっている。実際のハードウェアとしては、制御部１４のＣＰＵが記憶部１５のＲＯＭから情報表示プログラム３０を読み出して実行することにより、上記の各部が記憶部１５のＲＡＭにロードされる結果、上記の各部が記憶部１５のＲＡＭ上に生成されるようになっている。
【００４６】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【符号の説明】
【００４７】
１０  表示端末（電子機器）
１２  表示部
２０  洗濯乾燥機
３０  情報表示プログラム
３２  通信制御部
３３  表示制御部
Ａ１〜Ａ４  表示領域
ＩＭ１〜ＩＭ６  運転状態表示画面
【図１】
2015144626.tif 000003
【図２】
2015144626.tif 000004
【図３】
2015144626.tif 000005
【図４】
2015144626.tif 000006
【図５】
2015144626.tif 000007
【図６】
2015144626.tif 000008
【図７】
2015144626.tif 000009
【図８】
2015144626.tif 000010
【図９】
2015144626.tif 000011
【図１０】
2015144626.tif 000012